(57)【要約】【課題】作業時に間接活線工具を取り出し易くするために、電柱等に当該間接活線工具を吊り下げることができるようにする。【解決手段】絶縁操作棒３が有する取っ手部６に着脱自在に設けられる吊下部材２を備える。これにより、吊下部材２を介して当該間接活線工具１を電柱や腕金等に吊り下げることができるようになる。この結果、電柱上で作業する際に、従来のように作業袋から所望の間接活線工具が他の間接活線工具に引っ掛かることがなくので、間接活線工具１を取り出し易くなり、作業効率が向上し、間接活線工具が誤って落下してしまうことを防止できる。更に、電柱上の様々な場所に設置することができるので、作業空間を確保することができる。【選択図】図１
2012085376.tif 000002
【特許請求の範囲】
【請求項１】
作業に応じた先端工具が先端に取り付けられ、後端に把持可能な取っ手部を有する絶縁操作棒と、
前記取っ手部に着脱自在に設けられる吊下部材とを備えることを特徴とする間接活線工具。
【請求項２】
前記吊下部材は、
前記取っ手部に着脱する着脱部と、
一端が前記着脱部に接続されるワイヤ部と、
前記ワイヤ部の他端に接続され、前記ワイヤ部及び前記着脱部を介して当該間接活線工具を吊り下げ支持するリング部とを有することを特徴とする請求項１に記載の間接活線工具。
【請求項３】
作業に応じた先端工具が先端に取り付けられ、後端に把持可能な取っ手部を有する絶縁操作棒と、前記取っ手部に着脱自在に設けられる吊下部材とを備える間接活線工具の前記吊下部材に係合するフック部と、
前記フック部に設けられ、前記フック部を介して前記間接活線工具を支持するベルト部とを備えることを特徴とする吊下具。
【請求項４】
作業に応じた先端工具が先端に取り付けられ、後端に把持可能な取っ手部を有する絶縁操作棒と、前記取っ手部に着脱自在に設けられる吊下部材とを備える間接活線工具の前記吊下部材に係合するフック部と、
前記フック部が複数取り付けられ、前記フック部を複数支持する支持部材と、
前記支持部材に設けられ、前記フック部及び前記支持部材を介して前記間接活線工具を支持するベルト部とを備えることを特徴とする吊下具。
【発明の詳細な説明】
【技術分野】
【０００１】
本発明は、作業に応じた先端工具が取り付けられる絶縁操作棒と、この絶縁操作棒から延在して設けられる把持可能な取っ手部とを備えた間接活線工具及び吊下具に関するものである。
【背景技術】
【０００２】
近年、電柱間に架設された電線の配電工事等を行う際に、電線に電気を通電させた状態、つまり無停電状態で作業（所謂、活線作業）が行われている。このような活線作業には、絶縁衣や絶縁手袋等の絶縁保護具を着用した作業者が通電中の電線に直接触れて作業を行う直接活線工法と、間接活線工具を使用して、作業者が通電中の電線に直接触れることなく作業を行う間接活線工法の二通りがある。
【０００３】
直接活線工法は、感電等を防止するために大掛かりな絶縁保護具を着用して作業を行うため、間接活線工法よりも作業効率が低下すると共に、作業者が通電中の電線に直接触れて作業を行うため、作業者が感電してしまうおそれがある。そのため、作業効率の向上や作業環境の改善等の観点から、間接活線工具を使用した間接活線工法が主流となってきている。
【０００４】
間接活線工法は、間接活線工具を用いて作業が行われる。間接活線工具は、例えば、駆動ユニット及び駆動ユニットを操作可能な操作部を備えた、電気的に絶縁された棒状の絶縁操作棒と、この絶縁操作棒の先端に設けられ、駆動ユニットに接続されると共に、作業内容により交換可能に構成された先端工具とで構成される。操作部には作業者が把持可能な取っ手部が設けられており、作業者は、一方の手で取っ手部を把持し、他方の手で操作部を操作して間接活線作業を行う。
【０００５】
このような間接活線工具は、電線工事を行う場合に予め複数用意され、この複数の間接活線工具は、作業袋に収納される。この場合、作業袋から所望の間接活線工具を取り出すときに、当該間接活線工具が他の間接活線工具に引っ掛かる等して取り出しにくい。その結果、作業効率を低下させる原因となり、また、間接活線工具が誤って落下してしまう可能性もある。
【０００６】
特許文献１には、電線工事用器具を吊り下げるための吊下具が開示されている。この吊下具によれば、電気室フレーム上部の桁等に取り付けられる逆Ｊ字形状の取付部材と、この取付部材の下部にリング形状のロープを介してぶら下げられた滑車と、この滑車に通されたロープと、このロープの両端に設けられた複数の樹脂フックとを備える。これにより、電気室のフレーム上部の桁に取付部材を取り付けることにより、樹脂フックに電線工事用器具を複数吊り下げることができる。
【先行技術文献】
【特許文献】
【０００７】
【特許文献１】特開平８−２３６１０号公報
【発明の概要】
【発明が解決しようとする課題】
【０００８】
ところで、間接活線工具には樹脂フックに係合する係合部（孔等）がないので、特許文献１に記載の吊下具では、当該間接活線工具を吊り下げることができない。また、この吊下具では、間接活線工具のような比較的大きな工具を複数吊り下げることは困難である。
【０００９】
そこで、本発明は、上述の課題を解決したものであって、作業時の取り扱い性を向上できるようにすると共に、取り出し易くするために、電柱等に容易に吊り下げ可能な間接活線工具及び吊下具を提供することを目的とする。
【課題を解決するための手段】
【００１０】
上述の課題を解決するために、作業に応じた先端工具が先端に取り付けられ、後端に把持可能な取っ手部を有する絶縁操作棒と、取っ手部に着脱自在に設けられる吊下部材とを備えることを特徴とするものである。
【００１１】
本発明に係る間接活線工具では、絶縁操作棒が有する取っ手部に着脱自在に設けられる吊下部材を備える。これにより、吊下部材を介して当該間接活線工具を電柱や腕金等に吊り下げることができるようになる。
【００１２】
例えば、吊下部材は、取っ手部に着脱する着脱部と、一端がこの着脱部に接続されるワイヤ部と、このワイヤ部の他端に接続され、ワイヤ部及び着脱部を介して当該間接活線工具を吊り下げ支持するリング部とを有する。
【００１３】
本発明に係る吊下具は、作業に応じた先端工具が先端に取り付けられ、後端に把持可能な取っ手部を有する絶縁操作棒と、取っ手部に着脱自在に設けられる吊下部材とを備える間接活線工具の吊下部材に係合するフック部と、フック部に設けられ、フック部を介して間接活線工具を支持するベルト部とを備えることを特徴とするものである。
【００１４】
本発明に係る吊下具では、間接活線工具の吊下部材に係合するフック部と、このフック部に設けられ、フック部を介して間接活線工具を支持するベルト部とを備える。これにより、ベルト部で電柱や腕金等に巻きついて、フック部を介して間接活線工具を吊り下げることができる。
【００１５】
また、本発明に係る吊下具は、作業に応じた先端工具が先端に取り付けられ、後端に把持可能な取っ手部を有する絶縁操作棒と、取っ手部に着脱自在に設けられる吊下部材とを備える間接活線工具の吊下部材に係合するフック部と、フック部が複数取り付けられ、フック部を複数支持する支持部材と、支持部材に設けられ、フック部及び支持部材を介して間接活線工具を支持するベルト部とを備えることを特徴とするものである。
【００１６】
本発明に係る吊下具では、間接活線工具の吊下部材に係合するフック部と、このフック部が複数取り付けられ、フック部を複数支持する支持部材と、この支持部材に設けられ、フック部及び支持部材を介して間接活線工具を支持するベルト部とを備える。これにより、ベルト部で電柱や腕金等に巻きついて、フック部を介して複数の間接活線工具を吊り下げることができるようになる。
【発明の効果】
【００１７】
本発明に係る間接活線工具及び吊下具によれば、当該間接活線工具を電柱や腕金等に吊り下げることができるので、電柱上で作業する際に、間接活線工具を取り出し易くなり、作業効率が向上し、間接活線工具が誤って落下してしまうことを防止できる。更に、電柱上の様々な場所に設置することができるので、作業空間を確保することができる。
【図面の簡単な説明】
【００１８】
【図１】第１の実施の形態に係る間接活線工具１の構成例を示す斜視図である。
【図２】吊下具１０の構成例を示す斜視図である。
【図３】間接活線工具１及び吊下具１０の使用例（その１）を示す説明図である。
【図４】間接活線工具１及び吊下具１０の使用例（その２）を示す説明図である。
【図５】第２の実施の形態に係る吊下具１０Ａの構成例を示す平面図である。
【図６】吊下具１０Ａの構成例を示す正面図である。
【図７】吊下具１０Ａの使用例を示す説明図である。
【図８】第３の実施の形態に係る吊下具１０Ｂの構成例を示す平面図である。
【図９】図８のＡ−Ａ線で切断した吊下具１０Ｂの構成例を示す断面図である。
【図１０】吊下具１０Ｂの使用例を示す説明図である。
【発明を実施するための形態】
【００１９】
以下、図面を参照して、本発明に係る実施の形態の一例として間接活線工具１及び吊下具１０，１０Ａ，１０Ｂについて説明する。
【００２０】
＜第１の実施の形態＞  
［間接活線工具１の構成例］  
まずは、間接活線工具１の構成例について説明する。図１に示すように、間接活線工具１は、吊下部材２及び絶縁操作棒３で構成される。更に、間接活線工具１は、先端工具４及び操作部５を備える。
【００２１】
絶縁操作棒３は、樹脂等の絶縁物で形成された長尺の棒である。絶縁操作棒３の先端には先端工具４が着脱自在に取り付けられる。先端工具４は、作業に応じて複数種類のものが存在し、絶縁操作棒３に設けられる操作部５に接続されるように構成されている。
【００２２】
操作部５は、絶縁操作棒３の先端に取り付けられた先端工具４を駆動可能に絶縁操作棒３の後端に設けられている。ユーザが操作部５を一方の手で操作することにより、該操作が先端工具４に伝達されて、先端工具４が駆動する。
【００２３】
絶縁操作棒３の後端であって、操作部５の絶縁操作棒３が設けられている側と反対側には把持可能な取っ手部６が設けられる。取っ手部６は、ユーザの他方の手で把持されるものである。ユーザは、取っ手部６を把持して当該間接活線工具１を支持する。
【００２４】
取っ手部６には吊下部材２が着脱自在に設けられる。吊下部材２は、間接活線工具１を電柱や腕金等に吊り下げるためのものである。例えば、吊下部材２は、着脱部２１、ワイヤ部２２及びリング部２３を有し、例えば、樹脂で一体に形成されている。
【００２５】
着脱部２１は、取っ手部６に着脱するものであり、例えば、面ファスナーで構成されたり、ネジ等の締め付け部材等で構成されているものである。この着脱部２１の構成は、適宜変更可能である。着脱部２１は、金属製でも良いし、樹脂製でも良い。
【００２６】
ワイヤ部２２は、その一端が着脱部２１に接続され、その他端がリング部２３に接続される。ワイヤ部２２は、着脱部２１とリング部２３とを連結するものである。
【００２７】
リング部２３は、リング形状を有し、ワイヤ部２２及び着脱部２１を介して間接活線工具を吊り下げ支持する。
【００２８】
［吊下具１０の構成例］  
次に、吊下具１０の構成例について説明する。図２に示すように、吊下具１０は、フック部１１及びベルト部１２で構成される。更に、吊下具１０は、連結部１３を備える。
【００２９】
フック部１１は、図１で前述した間接活線工具１の吊下部材２が有するリング部２３に係合／該係合解除する。フック部１１は、図示の矢印方向に可動部１１ａが移動可能になっている。
【００３０】
可動部１１ａは、例えば、ユーザが指で可動部１１ａを矢印方向に押すと、図示の矢印方向に移動して、リング部２３が係合可能な開状態となる。また、可動部１１ａは、ユーザが矢印方向に押した可動部１１ａから指を離すと、バネの作用で元に戻り閉状態になる。このように、リング部２３がフック部１１に一旦係合したら、可動部１１ａは閉状態になるので、リング部２３はフック部１１から容易に外れない。
【００３１】
ベルト部１２は、連結部１３を介してフック部１１に設けられる。ベルト部１２は、電柱や腕金等に巻きつき可能で、フック部１１を介して間接活線工具１を支持する。具体的には、ベルト部１２は、当該ベルト部１２の端部に設けられる取付孔１２ａにフック部１１をくぐらせることにより、電柱や腕金等に巻きつく。
【００３２】
［間接活線工具１及び吊下具１０の使用例］  
次に、間接活線工具１及び吊下具１０の使用例について説明する。図３に示すように、電柱３０に吊下具１０のベルト部１２が巻きつき、この吊下具１０のフック部１１に間接活線工具１を吊り下げて使用する。
【００３３】
まずは、電柱３０にベルト部１２を巻きつける。その際、取付孔１２ａにフック部１１及び連結部１３を通して巻きつける。電柱３０が接触するベルト部１２の面にはゴム等の滑り止め部材が設けられており、電柱３０とベルト部１２との摩擦係数を増加させて、間接活線工具１が吊り下げられたベルト部１２が電柱３０から滑り落ちることを防止している。
【００３４】
ベルト部１２が電柱に巻きつけられたら、フック部１１の可動部１１ａを開状態にして、間接活線工具１のリング部２３を引っ掛ける。その後、可動部１１ａを閉状態にすることにより、吊下具１０に間接活線工具１が吊り下げられる。
【００３５】
間接活線工具１を吊下具１０から取り外す場合には、可動部１１ａを開状態にして、フック部１１からリング部２３を取り外せば良い。また、吊下具１０を電柱３０から取り外す場合には、取付孔１２ａを通ったフック部１１及び連結部１３を当該取付孔１２ａから抜き出せば良い。
【００３６】
また、図４に示すように、電線３１を支持する腕金３２に吊下具１０のベルト部１２が巻きつき、この吊下具１０のフック部１１に間接活線工具１を吊り下げて使用しても良い。
【００３７】
このように、第１の実施の形態に係る間接活線工具１によれば、絶縁操作棒３が有する取っ手部６に着脱自在に設けられる吊下部材２を備える。これにより、吊下部材２を介して当該間接活線工具１を電柱３０や腕金３２等に吊り下げることができるようになる。
【００３８】
この結果、電柱上で作業する際に、従来のように作業袋から所望の間接活線工具が他の間接活線工具に引っ掛かることがなくので、間接活線工具１を取り出し易くなり、作業効率が向上し、間接活線工具が誤って落下してしまうことを防止できる。更に、電柱上の様々な場所に設置することができるので、作業空間を確保することができる。
【００３９】
＜第２の実施の形態＞  
第２の実施の形態では、複数のフック部１１を取り付け可能で、電柱向けの支持部材１４が設けられた吊下具１０Ａについて説明する。第１の実施の形態と同じ名称及び符号のものは同じ機能を有するので、その説明を省略する。
【００４０】
［吊下具１０Ａの構成例］  
図５及び図６に示すように、吊下具１０Ａは、フック部１１及び支持部材１４で構成される。フック部１１は、前述の第１の実施の形態で説明したものと同じである。本例では、フック部１１は、４つ用意されているが、この数は限定されない。
【００４１】
４つのフック部１１は支持部材１４に取り付けられている。支持部材１４は、４つのフック部１１を支持する。支持部材１４の上端には取付孔１４ａが穿設されており、この取付孔１４ａに、前述した連結部１３を介してベルト部１２が取り付けられる。ベルト部１２は、電柱３０に巻きつき可能で、吊下具１０Ａを介して間接活線工具１を支持する。
【００４２】
［吊下具１０Ａの使用例］  
次に、吊下具１０Ａの使用例について説明する。図７に示すように、電柱３０にベルト部１２が巻きつき、ベルト部１２に設けられている吊下具１０Ａの複数のフック部１１に間接活線工具１を複数吊り下げて使用する。この場合、ベルト部１２に吊り下がっている支持部材１４は電柱３０に当接して回転しない。これにより、吊り下げた間接活線工具１が電柱３０に接触することを防止できる。
【００４３】
このように、第２の実施の形態に係る吊下具１０Ａによれば、複数の間接活線工具１を吊り下げることができるようになる。これにより、電柱上で作業する際に、従来のように作業袋から所望の間接活線工具が他の間接活線工具に引っ掛かることがなくので、間接活線工具１を取り出し易くなり、作業効率が向上し、間接活線工具が誤って落下してしまうことを防止できる。
【００４４】
＜第３の実施の形態＞  
第３の実施の形態では、複数のフック部１１を取り付け可能で、腕金向けの支持部材１５等が設けられた吊下具１０Ｂについて説明する。第１及び第２の実施の形態と同じ名称及び符号のものは同じ機能を有するので、その説明を省略する。
【００４５】
［吊下具１０Ｂの構成例］  
図８及び図９に示すように、吊下具１０Ｂは、フック部１１、支持部材１５、連結部材１６、回転支持部材１７及び回転部材１８で構成される。フック部１１は、前述の第１の実施の形態で説明したものと同じである。本例では、フック部１１は、６つ用意されているが、この数は限定されない。
【００４６】
６つのフック部１１は支持部材１５に取り付けられる。支持部材１５は、６つのフック部１１を支持する。支持部材１５の中央付近には回転部材１８を介して連結部材１６が設けられる。回転部材１８は、支持部材１５と連結部材１６とを回転支持（３６０度回転する）するものである。
【００４７】
連結部材１６は、回転支持部材１７及び回転部材１８を連結する。連結部材１６の上部には、回転支持部材１７が回転自在（３６０度回転する）に設けられる。回転支持部材１７には取付孔１７ａが穿設されており、この取付孔１７ａに、前述した連結部１３を介してベルト部１２が取り付けられる。ベルト部１２は、腕金３２に巻きつき可能で、吊下具１０Ｂを介して間接活線工具１を支持する。
【００４８】
［吊下具１０Ｂの使用例］  
次に、吊下具１０Ｂの使用例について説明する。図１０に示すように、腕金３２にベルト部１２が巻きつき、ベルト部１２に設けられている吊下具１０Ｂの複数のフック部１１に間接活線工具１を複数吊り下げて使用する。この場合、ベルト部１２に吊り下がっている吊下具１０Ｂは回転する。これにより、吊下具１０Ｂを回転させて即座に、所望の間接活線工具１を吊下具１０Ｂから取り外して使用することができる。
【００４９】
このように、第３の実施の形態に係る吊下具１０Ｂによれば、複数の間接活線工具１を吊り下げることができるようになる。これにより、電柱上で作業する際に、従来のように作業袋から所望の間接活線工具が他の間接活線工具に引っ掛かることがなくので、間接活線工具１を取り出し易くなり、作業効率が向上し、間接活線工具が誤って落下してしまうことを防止できる。
【符号の説明】
【００５０】
１・・・間接活線工具、２・・・吊下部材、３・・・絶縁操作棒、４・・・先端工具、５・・・操作部、６・・・取っ手部、１０，１０Ａ，１０Ｂ・・・吊下具、１１・・・フック部、１２・・・ベルト部、１３・・・連結部、１４，１５・・・支持部材、２１・・・着脱部、２２・・・ワイヤ部、２３・・・リング部、３０・・・電柱、３１・・・電線、３２・・・腕金
【図１】
2012085376.tif 000003
【図２】
2012085376.tif 000004
【図３】
2012085376.tif 000005
【図４】
2012085376.tif 000006
【図５】
2012085376.tif 000007
【図６】
2012085376.tif 000008
【図７】
2012085376.tif 000009
【図８】
2012085376.tif 000010
【図９】
2012085376.tif 000011
【図１０】
2012085376.tif 000012